(57)【特許請求の範囲】
【請求項１】
天井面に取り付けられる照明器具において、
器具本体を仕切り壁で天井側と床側とに仕切り、床側の室にＬＥＤ基板を仕切り壁に取り付けて収納し、天井側の室にＬＥＤの電源基板を収納し、当該天井側の室の外側壁にフィンを備え、前記床側の室の外側壁には、当該床側の室の周囲を囲むフランジ状部を一体に備え、
前記器具本体の一端に、前記天井側に設けられた取付金具の軸受けに係合する回動軸を設け、他端に前記取付金具に掛合する掛合部を設け、
前記天井側に設けられた端子ボックスに前記取付金具を設け、前記取付金具には前記端子ボックスと前記器具本体との間に配線を通す開口を設け、
前記端子ボックスと前記取付金具との間にシール部材を設け、当該シール部材が、前記取付金具の開口に挿入されて前記端子ボックスと器具本体との間をシールするシール部を一体に備える
ことを特徴とする照明器具。
【請求項２】
前記天井側の室を、前記仕切り壁に平行に前記電源基板を収納し、かつ内側壁が前記電源基板に近接する大きさとしたことを特徴とする請求項１に記載の照明器具。
【発明の詳細な説明】
【技術分野】
【０００１】
本発明は、天井面に取り付けられる照明器具に関する。
【背景技術】
【０００２】
近年、ＬＥＤの実用化に伴い、天井面に取り付けられる照明器具において、光源にＬＥＤを採用したものが知られている。また、この種の照明器具においては、ＬＥＤを点灯する点灯回路基板を天井面に略平行になるように配置することで、照明器具の高さの低減を図る技術が提案されている（例えば、特許文献１参照）。
【先行技術文献】
【特許文献】
【０００３】
【特許文献１】特開２００８−２６２７１４号公報
【発明の概要】
【発明が解決しようとする課題】
【０００４】
しかしながら、商用電力を直流電力に変換してＬＥＤを点灯する電源基板を内蔵する照明器具では、電源基板が発熱するため、単純に照明器具を薄型化することは困難であった。特に、光源を構成するＬＥＤの数が増え、またＬＥＤの光束が増大するほど、電源基板に流れる電流が増大することから、発熱の問題は顕著となる。
本発明は、上述した事情に鑑みてなされたものであり、電源基板の放熱性を確保し薄型化を可能にする照明器具を提供することを目的とする。
【課題を解決するための手段】
【０００５】
上記目的を達成するために、本発明は、天井面に取り付けられる照明器具において、器具本体を仕切り壁で天井側と床側とに仕切り、床側の室にＬＥＤ基板を仕切り壁に取り付けて収納し、天井側の室にＬＥＤの電源基板を収納し、当該天井側の室の外側壁にフィンを備え、前記床側の室の外側壁には、当該床側の室の周囲を囲むフランジ状部を一体に備え、前記器具本体の一端に、前記天井側に設けられた取付金具の軸受けに係合する回動軸を設け、他端に前記取付金具に掛合する掛合部を設け、前記天井側に設けられた端子ボックスに前記取付金具を設け、前記取付金具には前記端子ボックスと前記器具本体との間に配線を通す開口を設け、前記端子ボックスと前記取付金具との間にシール部材を設け、当該シール部材が、前記取付金具の開口に挿入されて前記端子ボックスと器具本体との間をシールするシール部を一体に備えることを特徴とする。
【０００６】
また本発明は、上記照明器具において、前記天井側の室を、前記仕切り壁に平行に前記電源基板を収納し、かつ内側壁が前記電源基板に近接する大きさとしたことを特徴とする。
【発明の効果】
【０００９】
本発明によれば、器具本体を仕切り壁で天井側と床側とに仕切り、床側の室にＬＥＤ基板を仕切り壁に取り付けて収納し、天井側の室にＬＥＤの電源基板を収納したため、電源基板とＬＥＤが天井面に対して上下に配置されることとなり、器具本体が薄型化される。さらに、天井側の室の外側壁にフィンを備えたため、天井側の室に納められた電源基板の発熱を外側壁のフィンから周囲に効率良く放熱することができる。これに加え、ＬＥＤ基板が仕切り壁に取り付けられるため、仕切り壁を通じてＬＥＤの発熱を器具本体に伝え周囲に放熱することができ、薄型でありながらも放熱性の良い照明器具が得られる。
【図面の簡単な説明】
【００１０】
【図１】本発明の実施形態に係る照明器具を下側から見た斜視図である。
【図２】照明器具の構成を示す図であり、（Ａ）は正面図、（Ｂ）は右側面図、（Ｃ）は左側面図、（Ｄ）は平面図、（Ｅ）は底面図である。
【図３】図２（Ｃ）のＡ−Ａ断面図である。
【図４】照明器具の分解図である。
【図５】器具本体の斜視図である。
【図６】取付金具の斜視図である。
【図７】本発明の変形例に係る照明器具を下側から見た斜視図である。
【発明を実施するための形態】
【００１１】
以下、図面を参照して本発明の実施形態について説明する。なお、以下の説明では、フォークリフト等の荷物運搬用の作業車が往来する規模の倉庫であって、冷蔵保冷用の倉庫の天井面に設置される照明器具を例示する。
【００１２】
図１は本実施形態に係る照明器具１の設置状態を下側から見た斜視図である。図２は照明器具１の構成を示す図であり、図２（Ａ）は正面図、図２（Ｂ）は右側面図、図２（Ｃ）は左側面図、図２（Ｄ）は平面図、図２（Ｅ）は底面図である。図３は図２（Ｃ）のＡ−Ａ断面図である。図４は照明器具１の分解図である。
照明器具１は、図１に示すように、天井面に既設の端子ボックス２に取り付けて設置される。端子ボックス２は、照明器具１の取付ベースとして供されるとともに、商用電力を照明器具１に供給するものであり、薄型筒状のボックス本体３を備え、当該ボックス本体３の外側面に複数の固定脚４を設け、当該固定脚４を天井面にボルト等で照明器具１の荷重に耐え得るように強固に固定して設置されている。
【００１３】
図３に示すように、ボックス本体３の外周面には、商用電力の電力線を引き込むための開口５が設けられ、またボックス本体３の底面（床側の面）の略中央には、照明器具１の電力線をボックス本体３に引き込む開口７が設けられている。それぞれの開口５、７から引き込まれた電力線がボックス本体３の中で結線され、照明器具１に商用電力が供給される。
なお、ボックス本体３の外周面には、４方向に開口５が設けられており、適宜の開口５から電力線を引き込み、また他の照明器具１への送り配線を引き出し可能に構成されており、使用しない開口５は例えばゴム材等で閉塞される。
【００１４】
照明器具１は、図１〜図４に示すように、天井面からの高さ方向に薄い箱型の器具本体１０を備え、天井面側が上記端子ボックス２に取り付けられ、また床側に面する底面には、透明板材としての平面視矩形のグローブ１２が器具本体１０に嵌め込み固定されている。グローブ１２と器具本体１０の間には防水用のパッキン１４（図３、図４）が挟み込まれて気密にされている。
【００１５】
図５は、器具本体１０の斜視図である。
器具本体１０は、熱伝導性が高い金属材の一例たるアルミ合金を用いたアルミダイカストにより平面視矩形の薄い箱形に成型され、各辺の外側壁１０Ａには、高さ方向（天井面側から床側方向）に延びる多数のフィン１６が一体に形成されている。
また器具本体１０は、図３に示すように、その内部が、天井面に平行な仕切り壁１８により天井面側の電源基板収納室２０と床側のＬＥＤ収納室２２とに仕切られており、電源基板収納室２０には電源基板２４を含む電源ユニット３０が収容され、ＬＥＤ収納室２２には多数のＬＥＤ２６が実装されたＬＥＤ基板２８が収容されている。
【００１６】
電源ユニット３０が備える電源基板２４は、図３に示すように、ＬＥＤ２６のそれぞれに点灯電力を供給する電源回路が実装されており、平面視略矩形状に形成され、電源基板収納室２０に、仕切り壁１８に対して略平行に収められている。電源基板２４には、電気回路部品が両面に設けられるが、比較的背の高い電気回路部品は天井側に対向する面２４Ａに設けられ、背の低い電気回路部品は床側の面２４Ｂに設けられている。
【００１７】
電源基板収納室２０は、器具本体１０に設けた平面視略矩形であって断面矩形状の凹部により形成され、この凹部の底面が上記仕切り壁１８となっている。この仕切り壁１８の平面視の四隅には台座３２が設けられ、各台座３２に電源基板２４が載置されネジ止め固定される。この台座３２の高さは、電源基板２４の床側の面２４Ｂに設けられた電気回路部品が仕切り壁１８に接触しない程度の極力最小の高さに形成されており、また電源基板収納室２０の高さ（深さ）Ｈ１も、電源基板２４の天井側の面２４Ａに設けられた電気回路部品が電源基板収納室２０を閉塞する平板状の蓋体３４に接触しない程度の極力最小の高さに形成されている。また電源基板２４を備える電源ユニット３０は、当該電源基板２４の両面の各電気回路部品と仕切り壁１８、及び蓋体３４との間に絶縁性シート３５を備え、当該絶縁性シート３５により電気的絶縁を確保しつつ、各電気回路部品と仕切り壁１８、及び蓋体３４との間を短縮可能にしている。これにより、電源基板収納室２０の高さを最小として器具本体１０のコンパクト化が図られる。
【００１８】
蓋体３４は、防水用のパッキン３６を間に挟んで器具本体１０の電源基板収納室２０を閉塞し、また蓋体３４の略中央には電力線引き出し用の開口３７が設けられ、この開口３７に樹脂製のブッシュ３８が嵌め込まれている。これらパッキン３６、及びブッシュ３８により電源基板収納室２０の気密性が確保されている。
【００１９】
また、電源基板収納室２０は、電源基板２４を仕切り壁１８に略平行に配置したときに、内側壁２０Ａが電源基板２４との間に若干の隙間δができる程度まで近接する大きさとされており、水平方向においても、余分なスペースを生じさせずに器具本体１０のコンパクト化が図られている。ただし、電源基板２４の幅寸法Ｗは、電気回路部品と内側壁２０Ａとの間の電気的絶縁距離αを確保できる最小の大きさとされている。
【００２０】
上述の通り、器具本体１０の外側壁１０Ａには、多数のフィン１６が設けられているが、これらのフィン１６は、電源基板収納室２０の外側に位置する外側壁１０Ａに設けられている。電源基板収納室２０には電源基板２４が一杯一杯に収められていることから、電源基板２４の発熱が電源基板収納室２０の内側壁２０Ａを通じてフィン１６に効率良く伝えられることとなり、良好な放熱性が得られる。
【００２１】
ＬＥＤ収納室２２は、電源基板収納室２０と同様に器具本体１０に設けた平面視略矩形であって断面矩形状の凹部により形成され、この凹部の底面が上記仕切り壁１８となっている。この仕切り壁１８の略中央には、電源基板収納室２０の電源基板２４とＬＥＤ基板２８との結線用の連通孔１８Ａが設けられ、この仕切り壁１８に、多数のＬＥＤ２６を例えば格子状に配置して成るＬＥＤ基板２８が直接載置されてネジ止め固定され、連通孔１８Ａを通じて電源基板２４と結線される。このようにＬＥＤ基板２８は、仕切り壁１８に直接取り付けられるため、ＬＥＤ２６の発熱が仕切り壁１８を通じて器具本体１０に効率良く伝えられ放熱性能が高められる。
【００２２】
ＬＥＤ収納室２２の高さ（深さ）は、当該ＬＥＤ収納室２２を閉塞する上記グローブ１２がＬＥＤ基板２８の実装部品と干渉しない極力最小の高さＨ２とされている。
このように、器具本体１０にあっては、電源基板収納室２０とＬＥＤ収納室２２とのそれぞれの高さＨ１、Ｈ２が極力最小とされていることから、器具本体１０の厚みを薄くでき天井面からの出幅を抑えることができる。特に、フォークリフト等の作業車が往来する倉庫の照明に、この照明器具１を用いることで、天井面からの出幅が抑えられるため、フォークリフトで持ち上げられた荷物との衝突を回避し損傷を好適に防止できる。
【００２３】
また器具本体１０では、図３に示すように、外側壁１０Ａのフィン１６が電源基板収納室２０の高さＨ１の範囲に制限されており、ＬＥＤ収納室２２の側では、当該ＬＥＤ収納室２２を囲むフランジ状に肉が残り、このフランジ状部３９がＬＥＤ２６の発熱を受けるヒートマスとして機能することで放熱性がより高められている。
【００２４】
ここで、ＬＥＤ収納室２２は、上記グローブ１２により閉塞されるが、湿気等によりグローブ１２の内側に曇りが生じるのを防止するために、器具本体１０には、図３に示すように、ＬＥＤ収納室２２を外部と接続する通気路４０が設けられ、この通気路４０の外部側先端４０Ａには、水分の侵入を防止し、かつ通気性を有するフィルタ付きのキャップ４１が取り付けられている。
【００２５】
次いで、端子ボックス２への取付構造について説明する。
前掲図３に示すように、端子ボックス２のボックス本体３の底面には、取付金具５０がネジ止めされている。この取付金具５０は、図６に示すように、ボックス本体３の底面の開口７（図３）を露出させ、端子ボックス２と器具本体１０の間の配線を通す開口５１を略中央に設けた略横長の板材であって、長手方向の一端部にＵ字状の軸受け５２が形成され、他端部にラッチ受け５３が形成されている。
この取付金具５０と端子ボックス２のボックス本体３の間には、図３及び図４に示すように、シール部材６１が挟み込まれることでシールされる。このシール部材６１には、取付金具５０の開口５１に嵌め込み挿入され、端子ボックス２と器具本体１０との間の配線箇所をシールするシール部としての円筒状パッキン６０が一体に形成されている。
これにより、取付金具５０に器具本体１０を取り付けるだけで、円筒状パッキン６０により、端子ボックス２と器具本体１０との間が自動的にシールされ、設置作業が容易となる。
【００２６】
一方、照明器具１にあっては、器具本体１０の外側壁１０Ａの一面には、図５に示すように、一対の支持片７０が設けられ、これら支持片７０により棒状の回動軸７１（図３、図４）が支持される。また、器具本体１０の外側壁１０Ａのうち、支持片７０と対向する面に、取付金具５０のラッチ受け５３に引っ掛かって掛合するラッチ機構７５が設けられている。
【００２７】
かかる構成の下、照明器具１を取付金具５０に取り付ける際には、照明器具１の回動軸７１を上記取付金具５０のＵ字状の軸受け５２に引っ掛けた後、当該回動軸７１を中心に器具本体１０を回動させ、ラッチ機構７５を取付金具５０のラッチ受け５３に掛合させて取り付ける。
これにより、例えば既設の端子ボックス２に対しては、取付金具５０を固定するだけで、照明器具１を簡単に取り付けることができる。
【００２８】
以上説明したように、本実施形態によれば、天井面に取り付けられる照明器具１において、器具本体１０を仕切り壁１８で天井側の電源基板収納室２０と床側のＬＥＤ収納室２２とに仕切り、床側のＬＥＤ収納室２２にＬＥＤ基板２８を仕切り壁１８に取り付けて収納し、天井側の電源基板収納室２０にＬＥＤ２６の電源基板２４を収納する構成とした。
これにより、電源基板２４とＬＥＤ２６が天井面に対して上下に（高さ方向）に配置されることとなり、器具本体１０が薄型化できる。さらに、天井側の電源基板収納室２０の外側壁１０Ａにフィン１６を備えたため、天井側の電源基板収納室２０に納められた電源基板２４の発熱を外側壁１０Ａのフィン１６から周囲に効率良く放熱することができる。これに加え、ＬＥＤ基板２８が仕切り壁１８に取り付けられるため、仕切り壁１８を通じてＬＥＤ２６の発熱を器具本体１０に伝え周囲に放熱することができ、薄型でありながらも放熱性の良い照明器具１が得られる。
【００２９】
また本実施形態によれば、天井側の電源基板収納室２０を、仕切り壁１８に平行に電源基板２４を収納し、かつ内側壁２０Ａが電源基板２４に近接する大きさにした。
これにより、電源基板収納室２０に電源基板２４が一杯一杯に収められ、電源基板２４の発熱が電源基板収納室２０の内側壁２０Ａを通じてフィン１６に効率良く伝えられることとなり、良好な放熱性が得られ、また器具本体１０のコンパクト化が図られる。
【００３０】
また本実施形態によれば、器具本体１０の一端に、天井側に設けられた取付金具５０の軸受け５２に係合する回動軸７１を設け、他端に取付金具５０に掛合する掛合部としてのラッチ機構７５を設ける構成とした。
これにより、取付金具５０への照明器具１の取り付けが容易となる。さらに既設の端子ボックス２に対しては、当該端子ボックス２に取付金具５０を固定することで、照明器具１を簡単に既設の端子ボックス２に取り付けることができる。
【００３１】
また本実施形態によれば、端子ボックス２に取付金具５０を設け、この取付金具５０には端子ボックス２と器具本体１０との間に配線を通す開口５１を設け、この端子ボックス２と取付金具５０との間にシール部材６１を設け、当該シール部材６１が、取付金具５０の開口５１に挿入されて端子ボックス２と器具本体１０との間をシールするシール部としての円筒状パッキン６０を一体に備える構成とした。
これにより、取付金具５０に器具本体１０を取り付けるだけで、円筒状パッキン６０により、端子ボックス２と器具本体１０との間が自動的にシールされ、設置作業が容易となる。
【００３２】
なお、上述した実施形態は、あくまでも本発明の一態様を示すものであって、本発明の趣旨を逸脱しない範囲で任意に変形及び応用が可能である。
例えば、上述した実施形態では、照明器具１のグローブ１２を平板状としたが、これに限らず、図７に示すように、ドーム状のグローブ１１２としても良い。
また例えば、電源基板２４や電気回路部品の熱を効率良くフィン１６に伝えるため、場合によっては、基板と仕切り壁１８との間の絶縁シートを熱伝導部材で構成しても良い。
また例えば、電源基板収納室２０全体に熱伝導性の絶縁材料で充填してより放熱性を高める構成としても良い。
また例えば、上述した実施形態において、照明器具１を天井面に代えて屋内の壁面に取り付けて使用しても良い。
【符号の説明】
【００３３】
１  照明器具
２  端子ボックス
１０  器具本体
１０Ａ  外側壁
１２、１１２  グローブ
１６  フィン
１８  仕切り壁
２０  電源基板収納室
２０Ａ  内側壁
２２  ＬＥＤ収納室
２４  電源基板
２６  ＬＥＤ
２８  ＬＥＤ基板
３０  電源ユニット
３４  蓋体
３５  絶縁性シート
３９  フランジ状部
５０  取付金具
６０  円筒状パッキン
６１  シール部材
７０  支持片
７１  回動軸
７５  ラッチ機構（掛合部）
【図１】
0005691664.tif 000002
【図２】
0005691664.tif 000003
【図３】
0005691664.tif 000004
【図４】
0005691664.tif 000005
【図５】
0005691664.tif 000006
【図６】
0005691664.tif 000007
【図７】
0005691664.tif 000008